(57)【要約】【課題】  所定の設定方式による初期設定をユーザに促しつつ、その他の設定方式を利用したいケースにおいては、設定方式を異なる設定方式に切り替えて動作させる仕組みを提供することを目的とする。【解決手段】  複数の設定方式をサポートするＭＦＰ１０１は、通信端末とダイレクト無線通信を行うＡＰを起動することができる。また、ＭＦＰ１０１は、装置の初回起動時に、特定の設定方式に対応する所定のＳＳＩＤでＡＰを起動するよう制御する（Ｓ６０３）。また、ＭＦＰ１０１は、初回起動時の設定を行う場合に、複数の設定方式の中から、前記特定の設定方式とは異なる設定方式を使用して設定を行うためのユーザ操作を受け付けた場合、当該異なる設定方式に対応するＳＳＩＤでＡＰを起動するよう制御する（Ｓ６１５）。また、ＭＦＰ１０１は、通信端末からダイレクト無線通信で初期設定を受信する。【選択図】  図６
2018129770.tif 000002
【特許請求の範囲】
【請求項１】
複数の設定方式をサポートする情報処理装置であって、
通信端末とダイレクト無線通信を行うためのアクセスポイントを起動する起動手段と、
前記情報処理装置の初回起動の時に、前記複数の設定方式のうちの特定の設定方式に対応する所定のＳＳＩＤでアクセスポイントを起動するよう前記起動手段を制御し、前記複数の設定方式の中から、前記特定の設定方式とは異なる設定方式を使用して前記情報処理装置の設定を行うためのユーザ操作を操作部を介して受け付けたことに基づいて、前記異なる設定方式に対応するＳＳＩＤでアクセスポイントを起動するよう前記起動手段を制御する制御手段と、
前記通信端末から前記ダイレクト無線通信を使用して設定を受信する受信手段と、
を有することを特徴とする情報処理装置。
【請求項２】
前記受信手段によって受信する前記設定は、少なくとも、前記情報処理装置が接続すべきアクセスポイントを識別するためのＳＳＩＤと、セキュリティキーを少なくとも含むことを特徴とする請求項１に記載の情報処理装置。
【請求項３】
前記受信手段によって受信する前記設定は、有線ネットワークの設定を含むことを特徴とする請求項２に記載の情報処理装置。
【請求項４】
前記受信手段によって受信する前記設定は、前記情報処理装置をクラウドサービスと連携させるためのアカウントの設定を含むことを特徴とする請求項２に記載の情報処理装置。
【請求項５】
前記情報処理装置の初回起動は、前記情報処理装置が工場出荷時の状態で前記情報処理装置に電源が投入された場合に実行されることを特徴とする請求項１乃至４のいずれか１項に記載の情報処理装置。
【請求項６】
前記情報処理装置の設定を工場出荷時の状態に初期化する初期化手段を更に有することを特徴とする請求項５に記載の情報処理装置。
【請求項７】
前記情報処理装置が起動中のアクセスポイントに対応する設定方式をユーザに通知する通知手段を更に有することを特徴とする請求項１乃至６のいずれか１項に記載の情報処理装置。
【請求項８】
前記制御手段は、前記特定の設定方式とは異なる設定方式を使用して前記情報処理装置の設定を行うためのユーザ操作を操作部を介して受け付けたことに基づいて、前記所定のＳＳＩＤで起動しているアクセスポイントを停止し、前記異なる設定方式に対応するＳＳＩＤのアクセスポイントを起動するよう制御することを特徴とする請求項１乃至７のいずれか１項に記載の情報処理装置。
【請求項９】
前記制御手段は更に、前記特定の設定方式とは異なる設定方式を使用して前記情報処理装置の設定を行うためのユーザ操作を受け付けた場合であって、前記異なる設定方式がダイレクト無線通信を用いずに設定を行う設定方式の場合は、前記異なる設定方式に則った制御を行うことを特徴とする請求項１乃至８のいずれか１項に記載の情報処理装置。
【請求項１０】
前記複数の設定方式の中から、ユーザに設定方式を選択させるための選択画面を表示する表示手段を更に備え、
前記選択画面を介して前記特定の設定方式とは異なる設定方式が選択されたことに従って、前記制御手段は、前記異なる設定方式に対応するＳＳＩＤでアクセスポイントを起動するよう前記起動手段を制御することを特徴とする請求項１乃至８のいずれか１項に記載の情報処理装置。
【請求項１１】
外部装置から印刷データを受信して前記印刷データに基づいてシートに画像を印刷する印刷手段を更に有することを特徴とする請求項１乃至１０のいずれか１項に記載の情報処理装置。
【請求項１２】
複数の設定方式をサポートする情報処理装置を制御する制御方法であって、
通信端末とダイレクト無線通信を行うためのアクセスポイントを起動する起動工程と、
前記情報処理装置の初回起動の時に、前記複数の設定方式のうちの特定の設定方式に対応する所定のＳＳＩＤでアクセスポイントを起動するよう前記起動工程を制御し、前記複数の設定方式の中から、前記特定の設定方式とは異なる設定方式を使用して前記情報処理装置の設定を行うためのユーザ操作を操作部を介して受け付けたことに基づいて、前記異なる設定方式に対応するＳＳＩＤでアクセスポイントを起動するよう前記起動工程を制御する制御手段と、
前記通信端末から前記ダイレクト無線通信を使用して設定を受信する受信工程と、
を有することを特徴とする制御方法。
【請求項１３】
請求項１２に記載の制御方法をコンピュータに実行させるためのプログラム。
【発明の詳細な説明】
【技術分野】
【０００１】
本発明は、外部装置と連携して設定を行う情報処理装置に関するものである。
【背景技術】
【０００２】
近年、様々な情報処理装置が無線ネットワークに接続されるようになってきている。これらの情報処理装置が家庭内や企業内の無線ネットワークに参加するためには、情報処理装置が無線クライアントとして動作し、アクセスポイント（ＡＰ）と呼ばれる無線親機に接続する必要がある。
【０００３】
近年、印刷装置などの情報処理装置を無線ネットワークに接続するための設定を含む初期設定を簡単に行うための方法が複数考えられている。例えば、情報処理装置とは異なる通信端末の操作部を介して、情報処理装置のネットワーク設定を行う方法が考えられている（特許文献１）。特許文献１の情報処理装置は、通信端末と外部のＡＰを介さずに無線通信するためのソフトウェアＡＰを起動し、通信端末からネットワーク設定を受信する。通信端末は、通信端末の操作部に検索で見つかったＡＰのリストを表示する。ユーザは、通信端末の操作部に表示されたＡＰのリストの中から情報処理装置が接続すべきＡＰを選択する。通信端末は、情報処理装置に対して選択されたＡＰに関する情報を送信する。情報処理装置は、通信端末から受信したＡＰに関する情報に基づいて、接続先の無線ネットワークの設定を行うことができる。
【先行技術文献】
【特許文献】
【０００４】
【特許文献１】特開２０１０−９８７６５号公報
【発明の概要】
【発明が解決しようとする課題】
【０００５】
前述のように、無線クライアントとなる情報処理装置がソフトウェアＡＰを起動した上で、当該ソフトウェアＡＰを使用したダイレクト無線通信で通信端末と連携し初期設定を行うことが考えられている。ところで、これらの初期設定の方式は複数の標準化団体によって異なる規格で策定が進んでいる。また、情報処理装置のベンダなどが独自規格として、通信端末と情報処理装置を連携させて初期設定を行う設定方式を開発することも考えられる。また、独自規格では、ベンダの情報処理装置に特化した初期設定を行えるよう、ネットワーク設定以外の初期設定も同時に行えるようにすることが考えられる。
【０００６】
また、各設定方式を用いて通信端末と連携した初期設定を行うためには、情報処理装置は設定方式の規格に適合するソフトウェアＡＰを起動する必要がある。例えば、ソフトウェアＡＰを識別するためのＳＳＩＤ（Ｓｅｒｖｉｃｅ  Ｓｅｔ  Ｉｄｅｎｔｉｆｉｅｒ）や暗号化方式を規格に適合する設定で起動する必要がある。
【０００７】
ここで、情報処理装置を複数の設定方式に対応させることを考える。この場合、情報処理装置が対応している複数の設定方式のいずれかを使用するかを、選択肢として表示し、ユーザの選択に基づいて当該選択された設定方式の規格に適合するソフトウェアＡＰを起動することが考えられる。
【０００８】
しかしながら、ネットワーク技術に不慣れなユーザにとっては、複数の選択肢の中から自身が使用できる設定方式を選択することが難しいという問題がある。
【０００９】
本発明は上記の問題点の少なくとも１つを鑑みなされたものである。本発明は、所定の設定方式に適合するアクセスポイントを起動することで、所定の設定方式による設定をユーザに促しつつ、その他の設定方式には、ユーザ操作によって切り替えることができる仕組みを提供することを目的とする。
【００１０】
本発明の他の目的は、ダイレクト無線通信用のアクセスポイントを所定の設定で起動し、所定の設定方式で通信端末からダイレクト無線通信を使用した設定を行えるようにし、他の設定方式には、ユーザ操作により切り替える仕組みを提供することである。
【課題を解決するための手段】
【００１１】
上記の少なくとも一つの目的を達成するために本発明の情報処理装置は、複数の設定方式をサポートする情報処理装置であって、通信端末とダイレクト無線通信を行うためのアクセスポイントを起動する起動手段と、前記情報処理装置の初回起動の時に、前記複数の設定方式のうちの特定の設定方式に対応する所定のＳＳＩＤでアクセスポイントを起動するよう前記起動手段を制御し、前記複数の設定方式の中から、前記特定の設定方式とは異なる設定方式を使用して前記情報処理装置の設定を行うためのユーザ操作を操作部を介して受け付けたことに基づいて、前記異なる設定方式に対応するＳＳＩＤでアクセスポイントを起動するよう前記起動手段を制御する制御手段と、前記通信端末から前記ダイレクト無線通信を使用して設定を受信する受信手段と、を有することを特徴とする。
【発明の効果】
【００１２】
本発明によれば、所定の設定方式による設定をユーザに促しつつ、その他の設定方式を利用したいケースにおいては、異なる設定方式に切り替えて動作させることができる。
【図面の簡単な説明】
【００１３】
【図１】システムの概要を示す図である。
【図２】ＭＦＰ１０１のハードウェア構成を示す図である。
【図３】ＭＦＰ１０１と通信端末１０２の連携を説明するシーケンス図である。
【図４】ＭＦＰ１０１の操作部１１６に表示される画面を説明する図である。
【図５】ＭＦＰ１０１の操作部１１６に表示される画面を説明する図である。
【図６】ＭＦＰ１０１の制御を示すフローチャートである。
【発明を実施するための形態】
【００１４】
以下、本発明を実施するための形態について図面を用いて説明する。なお、以下の実施の形態は特許請求の範囲に係る発明を限定するものでなく、また実施の形態で説明されている特徴の組み合わせの全てが発明の解決手段に必須のものとは限らない。
【００１５】
＜第１の実施形態＞
まず図１を用いて、本発明に係るシステムの構成を説明する。本実施形態に係るシステムは、ＭＦＰ（Ｍｕｌｔｉ  Ｆｕｎｃｔｉｏｎ  Ｐｅｒｉｐｈｅｒａｌ）１０１、通信端末１０２、及びアクセスポイント（ＡＰ）１０３とで構成される。
【００１６】
通信端末１０２は、ＩＥＥＥ８０２．１１規格（以下、８０２．１１規格と呼ぶ）に基づく無線通信を実行可能である。ユーザがＡＰ１０３に接続するためのＳＳＩＤ（Ｓｅｒｖｉｃｅ  Ｓｅｔ  Ｉｄｅｎｔｉｆｉｅｒ）やセキュリティキーを通信端末１０２に入力することで、通信端末１０２はＡＰ１０３の提供するネットワークに接続できる。
【００１７】
ＭＦＰ１０１は、原稿上の画像を読み取る読取機能を有する。また、ＭＦＰ１０１は、ネットワークを介して印刷データを受信し、シートに画像を印刷するプリント機能を有する。ＭＦＰ１０１の無線ネットワーク設定として、ＡＰ１０３に接続するためのＳＳＩＤやセキュリティキーが設定されると、通信端末１０２とＭＦＰ１０１は、ＡＰ１０３を介して無線通信を行えるようになる。以降本実施形態では、通信端末１０２とＭＦＰ１０１が、ＡＰ１０３を介して通信を行う形態をインフラ無線通信と呼ぶ。
【００１８】
通信端末１０２は、ＡＰ１０３を介してＭＦＰ１０１と通信する。通信端末１０２は、ＡＰ１０３を介してＭＦＰ１０１に印刷データを送信することができる。また、印刷データを受信したＭＦＰ１０１は、印刷データに基づく印刷を実行する。
【００１９】
また、ＭＦＰ１０１は、ソフトウェアＡＰを起動して、通信端末１０２とＡＰ１０３などの中継装置を介さずに無線通信することもできる。ＭＦＰ１０１がソフトウェアＡＰを起動している場合、通信端末１０２はＭＦＰ１０１の提供するソフトウェアＡＰに接続することができる。ユーザは、ＭＦＰ１０１が起動しているソフトウェアＡＰへ接続するための接続情報（ＳＳＩＤやセキュリティキー）を通信端末１０２に入力する。通信端末１０２はユーザにより入力された接続情報に基づいてＭＦＰ１０１の提供するソフトウェアＡＰに接続する。ＭＦＰ１０１の提供するソフトウェアＡＰに接続した通信端末１０２は、ＡＰ１０３のような中継装置を介することなく、ＭＦＰ１０１と直接無線通信を実行することができる。
【００２０】
以降、本実施形態では、通信端末１０２が、ＡＰ１０３のような中継装置を介することなく、ＭＦＰ１０１と無線通信を行う形態をダイレクト無線通信と呼ぶ。通信端末１０２は、インフラ無線通信又はダイレクト無線通信を利用してＭＦＰ１０１と通信することができる。
【００２１】
＜通信端末＞
まず、通信端末１０２について説明する。通信端末１０２は、例えばスマートフォン、タブレット端末、ＰＣ（Ｐｅｒｓｏｎａｌ  Ｃｏｍｐｕｔｅｒ）などの情報処理装置であり、様々な目的のアプリケーションがインストールされている。本実施形態では、通信端末１０２に所定の規格に則って、通信端末１０２の周囲に存在する情報処理装置のネットワーク設定を行うための機能を提供する複数の設定アプリケーションがインストールされているものとする。
【００２２】
また、通信端末１０２には、ＭＦＰ１０１に印刷データを送信し、印刷を行うことが可能な印刷機能を提供するプリントアプリケーションがインストールされているものとする。プリントアプリケーションは、インフラ無線通信又はダイレクト無線通信のいずれかを使用してＭＦＰ１０１に印刷データを送信し、ＭＦＰ１０１に印刷を行わせることができる。
【００２３】
なお、本実施形態では、設定アプリケーションとプリントアプリケーションが個別のアプリケーションとして提供されている場合を例示しているが、これに限定されるものではない。例えば、通信端末１０２を統括的に制御するＯＳ（Ｏｐｅｒａｔｉｎｇ  Ｓｙｓｔｅｍ）が前述する印刷機能や設定機能をＯＳの機能として提供する形態であってもよい。また、ＭＦＰ１０１と連携した印刷機能や設定機能を備えた１つのアプリケーションが提供される形態であってもよい。
【００２４】
＜ＭＦＰ＞
続いて、ＭＦＰ１０１について説明する。図２は、ＭＦＰ１０１のハードウェア構成を示すブロック図である。ＣＰＵ（Ｃｅｎｔｒａｌ  Ｐｒｏｃｅｓｓｉｎｇ  Ｕｎｉｔ）１１１を含む制御部１１０は、ＭＦＰ１０１全体の動作を制御する。ＣＰＵ１１１は、ＲＯＭ（Ｒｅａｄ  Ｏｎｌｙ  Ｍｅｍｏｒｙ）１１２又はストレージ１１４に記憶された制御プログラムを読み出して、印刷制御や読取制御などの各種制御を行う。ＲＯＭ１１２は、ＣＰＵ１１１で実行可能な制御プログラムを格納する。ＲＡＭ（Ｒａｎｄｏｍ  Ａｃｃｅｓｓ  Ｍｅｍｏｒｙ）１１３は、ＣＰＵ１１１の主記憶メモリであり、ワークエリア又は各種制御プログラムの命令を展開するための一時記憶領域として用いられる。ストレージ１１４は、印刷データ、画像データ、各種プログラム、及び各種設定情報を記憶する。本実施形態では、ストレージ１１４としてＳＳＤ（Ｓｏｌｉｄ  Ｓｔａｔｅ  Ｄｒｉｖｅ）等のＦＬＡＳＨＤＩＳＫを想定しているが、ＨＤＤ（Ｈａｒｄ  Ｄｉｓｋ  Ｄｒｉｖｅ）等の補助記憶装置でもよい。
【００２５】
なお、本実施形態のＭＦＰ１０１では、１つのＣＰＵ１１１が１つのメモリ（ＲＡＭ１１３）を用いて後述するフローチャートに示す各処理を実行するものとするが、他の様態であっても構わない。例えば複数のプロセッサ、ＲＡＭ、ＲＯＭ、及びストレージを協働させて後述するフローチャートに示す各処理を実行することもできる。また、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ−Ｐｒｏｇｒａｍｍａｂｌｅ  Ｇａｔｅ  Ａｒｒａｙ）等のハードウェア回路を用いて一部の処理を実行するようにしてもよい。
【００２６】
操作部Ｉ／Ｆ（インタフェース）１１５は、操作部１１６と制御部１１０を接続する。操作部１１６には、タッチパネル機能を有する液晶表示部や各種ハードキーなどが備えられ、情報を表示する表示部やユーザの指示を受け付ける受付部として機能する。
【００２７】
読取部Ｉ／Ｆ１１７は、読取部１１８と制御部１１０を接続する。読取部１１８は原稿を読み取って、読取画像を生成する。生成された読取画像はネットワークを介して外部に送信されたり、印刷に用いられたりする。印刷部Ｉ／Ｆ１１９は、印刷部１２０と制御部１１０を接続する。印刷部１２０は外部から受信した印刷データや、読取画像に基づいてシートに画像を印刷する。
【００２８】
また、制御部１１０は、有線ＬＡＮ（Ｌｏｃａｌ  Ａｒｅａ  Ｎｅｔｗｏｒｋ）  Ｉ／Ｆ１２１を介して図示省略のネットワークに接続される。有線ＬＡＮ  Ｉ／Ｆ１２１は、図示省略のネットワーク上の外部装置に画像や情報を送信したり、ネットワーク上の外部装置から印刷データや情報を受信したりする。
【００２９】
更に、制御部１１０は、無線ＬＡＮ  Ｉ／Ｆ１２２を備えている。無線ＬＡＮ  Ｉ／Ｆ１２２は、外部のＡＰに接続して無線通信を行うための無線クライアントの機能及び、ＭＦＰ１０１がＡＰとして振る舞うソフトウェアＡＰの機能を提供する。
【００３０】
ＭＦＰ１０１の無線クライアントの機能は、インフラモードがＯＮの場合に動作する。インフラモードがＯＮの場合、ＭＦＰ１０１に記憶された無線ネットワーク設定に基づいて外部のアクセスポイントへ接続する。例えば、無線ネットワーク設定として、ＡＰ１０３に接続するためのＳＳＩＤやセキュリティキーが設定されると、ＭＦＰ１０１は、ＡＰ１０３を介してＡＰ１０３に接続している他の装置と無線通信を行えるようになる。
【００３１】
また、ソフトウェアＡＰは、アクセスポイントモードがＯＮの場合に起動する。ユーザによりアクセスポイントモードがＯＮに設定された場合、ＭＦＰ１０１は、ソフトウェアＡＰを起動し、外部装置が接続可能なＡＰとして動作する。ソフトウェアＡＰに接続するためのＳＳＩＤとセキュリティキーはユーザ操作に応じてＭＦＰ１０１の操作部１１６に表示される。
【００３２】
なお、本実施形態のＭＦＰ１０１は１つのソフトウェアＡＰを起動することが可能である。また、本実施形態のＭＦＰ１０１は、無線クライアントの機能及びソフトウェアＡＰの機能を同時に動作できるものとする。即ち、物理的な無線ネットワークインタフェースは１つであるが、論理的なネットワークインタフェースとしては、ソフトウェアＡＰとして使用するためのＩ／Ｆと、無線クライアントとして外部のＡＰに接続するためのＩ／Ｆの２つを有することになる。ここでは、説明のためインフラモードで外部のＡＰとデータを送受信するためのＩ／Ｆを「ｗｌａｎ０」と呼ぶこととする。また、ソフトウェアＡＰを介してデータを送受信するためのＩ／Ｆを「ｗｌａｎ１」と呼ぶこととする。ＣＰＵ１１１は、無線ＬＡＮ  Ｉ／Ｆ１２２と協働して「ｗｌａｎ１」のＩ／ＦをソフトウェアＡＰとして動作させる。
【００３３】
なお、本実施形態では、無線クライアントの機能及びソフトウェアＡＰの機能を同時に動作できるものとしたが、これに限定されるものではない。例えば、無線ＬＡＮ  Ｉ／Ｆ１２２が、無線クライアントの機能とソフトウェアＡＰの機能のいずれか１つでしか動作できない場合は、排他処理を行うことでいずれかのモードを選択して無線ＬＡＮ  Ｉ／Ｆ１２２を動作させるようにしてもよい。この場合、例えば、インフラモードがＯＮに設定され、インフラ無線通信を行う場合は、アクセスポイントモードをＯＦＦにする。アクセスポイントモードをＯＦＦになると、ＭＦＰ１０１は、ソフトウェアＡＰの動作を停止し、無線クライアントとして、無線ＬＡＮ  Ｉ／Ｆを動作させる。また、アクセスポイントモードがＯＮに設定され、ソフトウェアＡＰを起動する場合は、インフラモードをＯＦＦにする。インフラモードがＯＦＦになると、ＭＦＰ１０１は、外部のアクセスポイントとの接続を切り、ソフトウェアＡＰとして無線ＬＡＮ  Ｉ／Ｆ１２２を動作させる。
【００３４】
また、本実施形態では、通信端末１０２と連携する情報処理装置の一例としてＭＦＰ１０１を例示しているがこれに限定されるものではない。他の装置と連携を行うためにソフトウェアＡＰを起動できる様々なデバイスに適用することもできる。一例として、スキャナ装置やプリンタ装置などのＳＦＰ（Ｓｉｎｇｌｅ  Ｆｕｎｃｔｉｏｎ  Ｐｅｒｉｐｈｅｒａｌ）、デジタルカメラ、テレビ、冷蔵庫、及び、デジタルサイネージ装置、ウェアラブルデバイスなどの情報処理装置に適用することができる。
【００３５】
また、ＭＦＰ１０１は、ソフトウェアＡＰを介したダイレクト無線通信で通信端末と連携し初期設定を行う機能を備えている。ところで、これらの初期設定の設定方式は複数の標準化団体によって異なる規格で策定が進んでいる。
【００３６】
本実施形態のＭＦＰ１０１は、通信端末と連携し初期設定を行う場合に、ユーザが所望の規格を使用できるように複数の設定方式に対応している。また、通信端末と情報処理装置を連携させて初期設定を行うベンダ独自規格の設定方式にも対応している。独自規格の設定方式では、ネットワーク設定以外のベンダの情報処理装置に特化した初期設定についても行えるものとする。例えば、ＭＦＰ１０１は、初期設定として有線ネットワークの設定を受け付けることができる。また、例えば、ＭＦＰ１０１は、画像を外部に送信する送信機能で使用するアドレス帳への送信宛先（Ｅメールアドレスやファクシミリ番号）の登録などを受け付けることができる。
【００３７】
ところで、各設定方式を用いて通信端末と連携した初期設定を行うためには、情報処理装置は設定方式の規格に適合するソフトウェアＡＰを起動する必要がある。例えば、ソフトウェアＡＰを識別するためのＳＳＩＤや暗号化方式を規格に適合する設定で起動する必要がある。
【００３８】
ここで、情報処理装置を複数の設定方式に対応させることを考える。この場合、情報処理装置がサポートしている複数の設定方式のいずれかを使用するかを、選択肢として表示し、ユーザの選択に基づいて当該選択された設定方式の規格に適合するソフトウェアＡＰを起動することが考えられる。
【００３９】
しかしながら、ネットワーク技術に不慣れなユーザにとっては、自身が所有する通信端末で使用できる設定方式を適切に選択することが難しいという問題がある。またベンダの独自規格の設定方法では、よりを優先して使用できるようすると、ユーザにとっての利便性が高くなると考えられる。
【００４０】
これを鑑みて、本実施形態では、初期設定を行う場合に、推奨する設定方式に適合するアクセスポイントを優先的に起動することで、推奨する設定方式の利用を促しつつ、その他の設定方式には、ユーザ操作によって切り替える制御を行う。
【００４１】
まず、通信端末１０２と連携して初期設定を行う一連のシーケンスについて説明する。図３は、ＭＦＰ１０１が通信端末１０２からデータを受信して初期設定を行う一連のシーケンスを説明するための図である。図３に示すシーケンスは、ＭＦＰ１０１の初回の電源投入時（即ち、工場出荷後に電源が投入される際）に実行される。また、設定ウィザードによる初期設定は、通常の設定メニューから実行することも可能であるものとする。
【００４２】
電源が投入され、ＭＦＰ１０１が使用可能な状態となると、ＭＦＰ１０１は、初期設定ウィザードを操作部１１６上に表示する（３００）。初期設定ウィザードは、表示言語の設定、日時の設定、無線ネットワークの設定などをユーザに提供する。図４は、ＭＦＰ１０１の操作部１１６に表示される画面の一例を示すものであり、初期設定ウィザードにて表示される画面とその遷移を示している。画面４００は、表示言語設定をユーザから受け付ける画面であり、画面４０１は日時の設定をユーザから受け付ける画面である。また、画面４０２は無線ネットワークの設定をユーザから受け付ける画面である（詳細は図５にて後述する）。
【００４３】
本実施形態では、一例として表示言語の設定、日時の設定、無線ネットワークの設定の順に設定処理が進行するものとする。ＭＦＰ１０１は、操作部１１６を介した操作により、表示言語や日時の設定が行われると無線ネットワークの設定処理に進む。なお、本実施形態において、初期処理の順序や初期設定で行う設定項目はこれに限定されるものではない。本実施形態は、初回起動時の初期設定として少なくとも無線ネットワークの設定が行える情報処理装置に適用することができる。
【００４４】
ＭＦＰ１０１は、無線ネットワークの設定処理を行う画面４０２を表示する時に、自身が対応している設定方式の中でも特定の設定方式（図４の、リモート無線設定方式１）の規格に則ったソフトウェアＡＰを起動する（３０１）。従って、ＭＦＰ１０１は無線ネットワークの設定画面を表示する前に、特定の設定方式の規格に則った設定のソフトウェアＡＰを自動的に起動することができる。なお、ユーザは画面４０２を介して他の設定方式で無線ネットワークの設定を行うこともできる。この場合、ユーザは、画面４０２上に表示される複数の選択肢の中から所望の設定方法を選択し、所望の設定方法による設定を行う。
【００４５】
次に通信端末１０２の設定アプリケーションは、ＭＦＰ１０１のソフトウェアＡＰに接続する（３０２）。接続に使用する接続情報としては、ＭＦＰ１０１が起動したソフトウェアＡＰのＳＳＩＤとセキュリティキーが指定される。例えば、設定アプリケーションは周辺のＡＰを検索し、規格に適合するＡＰを一覧表示する。ユーザは、一覧表示されたＡＰの中からネットワーク設定を行いたい情報処理装置のＡＰを指定する。セキュリティキーは、ユーザにより入力される。なお、ＭＦＰ１０１が接続にセキュリティキーを必要としないソフトウェアＡＰ（暗号化なしのソフトウェアＡＰ）を起動している場合は、セキュリティキーの入力は省略される。
【００４６】
通信端末１０２からソフトウェアＡＰへの接続要求を受け付けたＭＦＰ１０１は、接続情報に基づく認証を行って、通信端末１０２に接続がＯＫであることを送信する（３０３）。なお、セキュリティキーが一致せずに認証に失敗した場合は、接続要求のリトライを待つ。
【００４７】
続いて、通信端末１０２の設定アプリケーションは、ＭＦＰ１０１が接続すべきＡＰ（ＡＰ１０３）のＳＳＩＤやネットワークキーなどの無線ネットワーク設定を受け付ける（３０４）。なお、ＡＰ１０３のＳＳＩＤ及びネットワークキーは、ユーザにより入力されてもよいし、過去に通信端末１０２が接続したＡＰを一覧表示し、ユーザに選択させるようにしてもよい。
【００４８】
通信端末１０２は、３０４で受け付けた無線ネットワーク設定をＭＦＰ１０１に送信する（３０５）。通信端末１０２から無線ネットワーク設定を受信したＭＦＰ１０１は、当該受信した設定をデバイスの無線ネットワーク設定としてストレージ１１４に記憶する（３０６）。また、ＭＦＰ１０１は、３０６で記憶した無線ネットワーク設定を用いて、ＡＰ１０３に接続要求を行う（３０７）。接続要求を受信したＡＰ１０３は、認証を行って、ＭＦＰ１０１に接続がＯＫであることを送信する（３０８）。
【００４９】
ネットワーク設定が完了すると、ＭＦＰ１０１は、操作部１１６に表示する画面をその他の初期設定の画面に遷移し、操作部１１６を介してその他の初期設定を受け付ける（３０９）。
【００５０】
設定ウィザードによる設定が完了すると、ＭＦＰ１０１は、コピー、印刷、送信等の機能が使用できる状態に遷移する。また、ＭＦＰ１０１はＭＦＰ１０１を工場出荷時の設定へリセット（初期化）するファクトリー・リセット機能を備えている。設定メニューからファクトリー・リセットの操作が行われると、ＭＦＰ１０１はデバイスの設定を初期化して、図４で説明した設定ウィザードの画面を表示する。
【００５１】
以上説明した処理により、印刷装置などの情報処理装置を無線ネットワークに接続するための設定を含む初期設定を簡単に行うことができる。
【００５２】
続いて、図５を用いて、ＭＦＰ１０１の無線ネットワークの設定について更に説明する。図５（ａ）〜（ｃ）は、ＭＦＰ１０１の操作部１１６に表示される画面の一例を示している。図５（ａ）に示す画面５０１は、無線ネットワークの設定を受け付ける選択画面を示している。画面５０１には、ＭＦＰ１０１が対応している無線ネットワークの設定方式を選択するための選択肢が選択可能に表示される。ユーザは、画面５０１に表示された複数の設定方式の中から所望の方式を選択し、当該設定方式で無線ネットワークの設定を行うことができる。
【００５３】
５１０に示す選択肢は、ＭＦＰ１０１の操作部１１６を介して無線ネットワークの設定を行う設定方式である。「ＳＳＩＤ設定」の選択肢がユーザによって選択された場合、ＭＦＰ１０１は、図示省略の入力画面に遷移する。ユーザは、入力画面を介してＭＦＰ１０１が接続するＡＰのＳＳＩＤやセキュリティキーなどを手動設定することができる。また「ＷＰＳ  プッシュボタン方式」、及び「ＷＰＳ  ＰＩＮコード方式」は、ＷＰＳ（登録商標、Ｗｉ−Ｆｉ  Ｐｒｏｔｅｃｔｅｄ  Ｓｅｔｕｐ）の仕様に則って無線設定を行うための選択肢である。プッシュボタン方式は、ＡＰが備えるプッシュボタンと、ＭＦＰ１０１のパネルに表示されるプッシュボタンの両方が押下されたことに基づき、ＡＰとＭＦＰ１０１とが所定のシーケンスに沿った通信を行い、無線ネットワーク設定を行う方式である。ＰＩＮ（Ｐｅｒｓｏｎａｌ  Ｉｄｅｎｔｉｆｉｃａｔｉｏｎ  Ｎｕｍｂｅｒ）コード方式は、操作部１１６に対してＡＰのＰＩＮコードを入力されたことに基づき、機器同士が所定のシーケンスに沿った通信を行って無線ネットワーク設定を行う方式である。
【００５４】
一方、５１１に示す選択肢は、ＭＦＰ１０１がソフトウェアＡＰを起動し、通信端末１０２とＭＦＰ１０１とがダイレクト無線通信で情報のやり取りを行いＭＦＰ１０１の無線設定を行うための設定方式である。本実施形態のＭＦＰ１０１は、リモート無線設定方式１〜３の３種類の設定方式に対応している。なお、本実施形態では、設定方式の名称を表示するようにしているがこれに限定されるものではない。例えば、通信端末のＯＳが基本機能として所定の規格に対応した無線ネットワーク設定機能を有している場合などは、通信端末に搭載されるＯＳ名や機種名などを表示するようにしてもよい。この場合、自身が所有する通信端末でＭＦＰ１０１の初期設定を行えるかどうかを、ユーザにより分かりやすく通知することができる。
【００５５】
また、図３で説明したように、本実施形態のＭＦＰ１０１は、リモート無線設定方式１（以降、設定方式１とも呼ぶ）で使用するソフトウェアＡＰを優先的に起動する。なお、ダイレクト無線通信を使用する各設定方式は、方式を区別するため、ＳＳＩＤとして特別な識別子を含むことを仕様として規定している場合がある。ここでは、一例として、設定方式１の仕様として、ＳＳＩＤの先頭に「ＸＸ」という識別子を含まなければならないと規定されている場合を考える。この場合、ＭＦＰ１０１は、例えば「ＸＸ−ＰｒｉｎｔｅｒＳｅｔｔｉｎｇ１２３４」といったＳＳＩＤのＡＰを起動する。
【００５６】
情報５１３は、ＭＦＰ１０１が設定方式１で外部の通信端末からの初期設定を待ち受けていることをユーザに通知するための情報である。また、情報５１３には、ＭＦＰ１０１のソフトウェアＡＰに接続するために必要となるセキュリティキーなども表示される。このように、情報５１３を表示することで、設定方式１で通信端末１０２から無線ネットワークの初期設定を行える状態である旨をユーザに通知することができる。次へキー５１２は、無線ネットワークの初期設定をスキップして、次の設定処理に進む場合に使用するキーである。なお、ユーザが無線設定を完了せずに次へキー５１２を選択した場合、ユーザに確認を求める確認画面を表示する。確認画面には、「無線ネットワークの設定が完了していません。設定をスキップしますか」などのメッセージ、ＯＫキー、及びキャンセルキーが表示される。ユーザは、確認画面を介して無線設定をスキップするかどうかを確認することができる。無線ネットワークの初期設定をスキップする操作がなされた場合、ＭＦＰ１０１は、起動中のソフトウェアＡＰを停止し、次の設定処理に進む。
【００５７】
また、情報５１３の表示領域や「リモート無線設定方式１」の選択肢がユーザにより選択された場合、ＭＦＰ１０１は、操作部１１６に表示する画面を図５（ｂ）に示す画面５０２に遷移する。画面５０２は設定方式１に関する詳細画面であり、通信端末１０２からソフトウェアＡＰに接続するために必要となる情報５２１が表示される。また、また画面５０２に表示される二次元バーコード５２２には、通信端末１０２に設定方式１に対応するアプリケーションのサイトにアクセスするためのＵＲＬ（Ｕｎｉｆｏｒｍ  Ｒｅｓｏｕｒｓｅ  Ｌｏｃａｔｅｒ）が格納されている。ユーザは、通信端末１０２のカメラ（図示省略）を使用して、二次元バーコード５２２を読み取って、設定方式１に対応するアプリケーションのサイトにアクセスすることができる。戻るキー５２３は、無線ネットワークの設定画面（画面５０１）に表示を切り替える場合に使用するキーである。
【００５８】
図５（ａ）の説明に戻る。設定方式１とは異なる規格であるリモート無線設定方式２又は３で無線ネットワークの設定を行いたいユーザは、画面５０１から、設定方式２又は３を選択する。ここでは、設定方式２が選択された場合を例として説明する。ＭＦＰ１０１は、設定方式２の選択肢が選択された場合、操作画面に表示する画面を図５（ｃ）に示す画面５０３に遷移する。画面５０３は、設定方式２に関する詳細画面であり、通信端末１０２からソフトウェアＡＰに接続するために必要となる情報５３１が表示される。
【００５９】
また、ＭＦＰ１０１は、設定方式１用に起動しているソフトウェアＡＰを停止し、設定方式２の規格に則ったソフトウェアＡＰを起動する。一例として、設定方式２の仕様として、ＳＳＩＤの先頭に「ＹＹ」という識別子を含まなければならないと規定され、通信の暗号化をしないことが規定されている場合を例に説明する。この場合、ＭＦＰ１０１は、例えば「ＹＹ−Ｐｒｉｎｔｅｒ」といったＳＳＩＤで、接続の認証や通信の暗号化を行わないソフトウェアＡＰを起動する。なお、ソフトウェアＡＰの切り換えている間は、図示省略の待機画面が表示されるものとする。
【００６０】
続いて、ＭＦＰ１０１の初期設定を行う具体的な制御方法について図６のフローチャートを用いて説明する。図６のフローチャートに示す各動作（ステップ）は、ＣＰＵ１１１がＲＯＭ１１２又はストレージ１１４に記憶された各制御モジュールを実現するためのプログラムをＲＡＭ１１３に読み出し、実行することにより実現される。図６のフローチャートの各動作は、ＭＦＰ１０１に電源投入された場合の起動処理として実行される。
【００６１】
Ｓ６００では、ＣＰＵ１１１は、工場出荷時の初回起動であるか否かを判断する。ＭＦＰ１０１の内部設定であるリセットフラグがＴＲＵＥに設定されている場合は、初回起動であると判断し、処理をＳ６０１に進める。ＭＦＰ１０１の内部設定であるリセットフラグがＴＲＵＥに設定されていない場合（即ちＦＡＬＳＥの場合）は、初回起動でないと判断し、処理をＳ６１１に進める。なお、リセットフラグは、工場出荷時にＴＲＵＥが記憶されている。また、ＭＦＰ１０１のファクトリー・リセットが行われた場合にも、リセットフラグはＴＲＵＥに上書きされる。
【００６２】
Ｓ６０１では、ＣＰＵ１１１は、設定ウィザードの画面を操作部１１６に表示する。Ｓ６０２では、ＣＰＵ１１１は、設定ウィザードの画面を介して表示言語設定及び日時の設定を受け付ける。受け付けた設定はＭＦＰ１０１の動作設定としてストレージ１１４又はＲＡＭ１１３に記憶される。
【００６３】
Ｓ６０３では、推奨する設定方式の仕様に則ったソフトウェアＡＰを起動する。ＣＰＵ１１１は、無線ＬＡＮ  Ｉ／Ｆ１２２と協働して、ＳＳＩＤが「ＸＸ−ＰｒｉｎｔｅｒＳｅｔｔｉｎｇ１２３４」でセキュリティキーが「１２３４」の設定でソフトウェアＡＰを起動する。ソフトウェアＡＰの起動が完了すると、処理をＳ６０４に進める。なお、本実施形態では、リモート無線設定方式１が推奨する設定方式である場合を例示しているがこれに限定されるものではない。例えば、推奨する設定方式（特定の設定方式）を変更できるように構成することもできる。この場合、工場出荷時に、市場状況の変化に応じて推奨すべき設定方式を柔軟に変更できるようになる。例えば、ＩｏＴ規格などのシェア争いにより、特定の設定方式が一般に普及した場合などには、当該設定方式を推奨すべき設定方式に変更し出荷することができる。また、工場出荷時に当該ＭＦＰの販売を担当する販売会社や国ごとに推奨する設定方式を異ならせて出荷することもできる。
【００６４】
Ｓ６０４では、ＣＰＵ１１１は、無線ネットワークの設定を行うための画面５０１を操作部１１６に表示する。Ｓ６０５では、ＣＰＵ１１１は、通信端末１０２からソフトウェアＡＰへの接続要求を受信したか否かを判断する。ソフトウェアＡＰへの接続要求を受信した場合、処理をＳ６０６に進め、ソフトウェアＡＰへの接続要求を受信していない場合、処理をＳ６１２に進める。
【００６５】
Ｓ６０６では、ＣＰＵ１１１は、受信した接続要求に基づく認証を許可するか否かを判断する。ＣＰＵ１１１は、受信した接続要求に基づいて認証処理を実行する。認証処理の結果、ソフトウェアＡＰへの接続を許可する場合は、通信端末１０２に認証が成功した旨の情報を送信して処理をＳ６０７に進める。一方、認証処理の結果、ソフトウェアＡＰへの接続を許可しない場合は、認証を許可しないと判断した場合は、Ｓ６０５の処理に戻り、接続要求のリトライを待つ。
【００６６】
Ｓ６０７では、ＣＰＵ１１１は、通信端末１０２から無線ネットワークの設定を受信したか判断する。ソフトウェアＡＰを介したダイレクト無線通信により無線ネットワークの設定を受信した場合は、処理をＳ６０８に進める。一方、ＣＰＵ１１１は、ソフトウェアＡＰを介したダイレクト無線通信により無線ネットワークの設定を受信していない場合は、通信端末１０２からの設定送信を待つ待ち状態となる。
【００６７】
Ｓ６０８では、ＣＰＵ１１１は、Ｓ６０７で受信した無線ネットワークの設定に基づいて、ＭＦＰ１０１の動作設定として無線ネットワークの設定を更新する。無線ネットワークの設定は、ストレージ１１４又はＲＡＭ１１３に記憶される。なお、本実施形態では、通信端末１０２から送信される無線ネットワークの設定は、設定方式ごとに異なるポートや異なる通信プロトコルで送信される。従って、ＭＦＰ１０１は、いずれの設定方式の設定データを受信したかを区別でき、各々のフォーマットに沿った処理を行うことができる。
【００６８】
Ｓ６０９では、ＣＰＵ１１１は、Ｓ６０８で記憶した無線ネットワークの設定に基づいて外部のＡＰに無線接続する。接続が許可されると処理をＳ６１０に進める。なお、接続が許可されない場合は、ＣＰＵ１１１は図示省略のエラー画面を表示する。エラー画面を介して無線設定をスキップするユーザ指示を受け付けると、処理をＳ６１０に進める。一方、エラー画面を介して接続をリトライするユーザ指示を受け付けると、エラー画面を閉じてＳ６０４の処理に戻る。
【００６９】
Ｓ６１０では、ＣＰＵ１１１は、その他の初期設定を受け付けて、ＭＦＰ１０１の設定として記憶する。なお、その他の初期設定は、例えば、タイムゾーンの設定、印刷のキャリブレーション処理、ＭＦＰ１０１を設置するロケーション情報の設定などである。また、設定ウィザードとしてＭＦＰ１０１が備える機能（アプリケーション）の説明や、ＭＦＰ１０１の便利な使い方などを解説するようにしてもよい。設定が完了すると、設定ウィザードを終了して処理をＳ６１１に進める。ＣＰＵ１１１は、設定ウィザードを終了する場合に、リセットフラグをＦＡＬＳＥに上書きする。従って、ＭＦＰ１０１が工場出荷後に初回起動する場合に設定ウィザードを表示することができる。
【００７０】
Ｓ６１１では、ＣＰＵ１１１は、操作部１１６に初期画面であるメニュー画面を表示し、一連の起動処理を終了する。起動処理の完了後に表示されるメニュー画面は、ＭＦＰ１０１を使用する際の初期画面である。ユーザはメニュー画面を介してＭＦＰ１０１が備える各機能（コピー機能や送信機能）を利用することができる。一連の起動処理が完了すると、ＭＦＰ１０１の各機能が利用できる状態となる。
【００７１】
続いて、Ｓ６１２以降の処理について説明する。Ｓ６１２では、ＣＰＵ１１１は、設定方法を選択する指示を受け付けたか否かを判断する。無線ネットワークの設定を受け付ける画面を介して設定方式を選択する操作を受け付けた場合は、処理をＳ６１４に進める。一方、設定方式を選択する操作を受け付けていない場合は、処理をＳ６１３に進める。
【００７２】
Ｓ６１３では、ＣＰＵ１１１は、無線ネットワーク設定のスキップ指示を受け付けたか否かを判断する。無線ネットワーク設定のスキップ指示を受け付けた場合は、処理をＳ６１０に進め、無線ネットワーク設定のスキップ指示を受け付けていない場合は、Ｓ６０５の処理に戻り、通信端末１０２からの接続要求又は操作部１１６を介したユーザ操作を待つ。
【００７３】
Ｓ６１４では、ＣＰＵ１１１は、選択された設定方式がソフトウェアＡＰを使用する設定方式であるか否かを判断する。選択された設定方式がソフトウェアＡＰを使用する設定方式の場合は、処理をＳ６１５に進め、選択された設定方式がソフトウェアＡＰを使用する設定方式でない場合は、処理をＳ６１７に進める。本実施形態では、ＣＰＵ１１１は、図５の選択肢５１１に示すリモート無線設定方式１〜３が選択された場合にソフトウェアＡＰを使用する設定方式であると判断する。また、図５の選択肢５１０に示すＳＳＩＤ設定、ＷＰＳプッシュボタン方式、ＷＰＳ  ＰＩＮコード方式が選択された場合にソフトウェアＡＰを使用する設定方式でないと判断する。
【００７４】
Ｓ６１５では、ＣＰＵ１１１は、無線ＬＡＮ  Ｉ／Ｆ１２２と協働して起動中のソフトウェアＡＰを選択された設定方式の仕様に則ったソフトウェアＡＰに切り替える。具体的には、起動中のソフトウェアＡＰの停止処理を行い、新たに選択された設定方式の仕様に則ったＳＳＩＤや暗号化方式のソフトウェアＡＰを起動する。例えば、設定方式２が選択された場合、ＣＰＵ１１１は、ＳＳＩＤが「ＹＹ―Ｐｒｉｎｔｅｒ」、暗号化なしの設定でソフトウェアＡＰを起動する。なお、ＣＰＵ１１１は、ソフトウェアＡＰの停止処理や起動処理の間は、操作部１１６に図示省略の待機画面を表示するものとする。
【００７５】
Ｓ６１６では、ＣＰＵ１１１は、設定方式に対応する詳細画面を表示し、処理をＳ６０５に進める。例えば、設定方式２が選択された場合、図５（ｃ）に示す詳細画面が表示されることになる。一方、Ｓ６１７では、ＣＰＵ１１１は、選択された設定方式に基づいて装置の無線ネットワークの設定を更新し、処理をＳ６１０に進める。
【００７６】
以上説明した通り、本実施形態では、推奨する設定方式に適合するアクセスポイントを優先的に起動することで、推奨する設定方式の利用を促すことができる。従って、推奨する設定方式を使用する場合には、ユーザ操作を簡易にすることができ、ユーザの利便性を高めることができる。また、その他の設定方式には、ユーザ操作によって切り替えることができる。従って、他の設定方式にも柔軟に対応することができる。また、ＭＦＰ１０１は、通信端末１０２から初期設定として受信した無線ネットワークの設定に基づいて、外部のＡＰ１０３に接続することができる。従って、ＭＦＰ１０１は、ＡＰ１０３のネットワークに参加する通信端末からインフラ無線通信で印刷データ等を受信することが可能になる。
【００７７】
＜変形例＞
第１の実施形態においては、Ｓ６０３のタイミングで推奨する設定方式の仕様に則ったソフトウェアＡＰを起動する場合を例示したが、ソフトウェアＡＰを起動するタイミングはこれに限定されるものではない。例えば、ＭＦＰ１０１は、設定ウィザードを開始するタイミングなどでソフトウェアＡＰを起動するようにしてもよい。また、この場合、図４（ａ）、（ｂ）に示す下部のステータスバーに、ダイレクト無線通信で通信端末と連携し無線ネットワークの初期設定を行うためのリモート無線設定方式１が使用可能であることを通知するようにしてもよい。また、ステータスバーに表示される無線ネットワーク設定に関する通知は、無線ネットワークの設定が完了した場合、又は設定ウィザード中で無線ネットワークの設定がスキップされた場合に、削除されるものとする。
【００７８】
なお、本実施形態では、図６で説明した一連の起動処理が完了した後も、初期設定用のソフトウェアＡＰを動作させ続ける場合を例示したがこれに限定されるものではない。例えば、無線ネットワークの設定が完了したタイミング、又は無線ネットワークの設定をスキップしたタイミング、設定ウィザードの終了するタイミングなどで初期設定用のソフトウェアＡＰを停止するようにしてもよい。またＭＦＰ１０１は、上述のタイミングで初期設定用のソフトウェアＡＰから、ダイレクト無線通信を使用して通信端末１０２から印刷データや画像データなどを送受信するための汎用のソフトウェアＡＰに切り替えるようにしてもよい。この場合ＳＳＩＤはダイレクト無線通信用のソフトウェアＡＰであることが分かるよう、「ＤＩＲＥＣＴ」などの文字列を先頭に含むフォーマットとなる。
【００７９】
また、本実施形態では、無線ネットワークの初期設定を例示したがこれに初期設定はこれに限定されるものではない。各設定方式は、無線ネットワークの初期設定だけではなく、ＭＦＰ１０１をクラウドサービスと連携させるためのアカウント設定などの初期設定を含みうる。
【００８０】
＜その他の実施形態＞
本発明は、上述の各実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣやＦＰＧＡ）によっても実現可能である。
【符号の説明】
【００８１】
１０１  ＭＦＰ
１０２  通信端末
１１１  ＣＰＵ
１２２  無線ＬＡＮ  Ｉ／Ｆ
【図１】
2018129770.tif 000003
【図２】
2018129770.tif 000004
【図３】
2018129770.tif 000005
【図４】
2018129770.tif 000006
【図５】
2018129770.tif 000007
【図６】
2018129770.tif 000008